(57)【要約】【課題】機能装置を良好に作動させることができる便器装置を提供する。【解決手段】便器装置１は、ケーシング５２内にファン５３を内蔵した部屋暖房装置５０が固定され、便器本体２の上面２Ｔに載置可能なベースプレート４１を備えている。ベースプレート４１は便器本体２の上面２Ｔより後方に張り出した張出部４１Ｈを有している。張出部４１Ｈには、ファン５３の上流側に形成された吸気路４８の上流端が上方から連通し、下方を向いて開口する吸気口４７が形成されている。【選択図】図４
2010203070.tif 000002
【特許請求の範囲】
【請求項１】
ケーシング内にファンを内蔵した機能装置が固定され、便器本体の上面に載置可能なベースプレートを備えた便器装置であって、
前記ベースプレートは前記便器本体の上面より後方に張り出した張出部を有し、
張出部には、前記ファンの上流側に形成された吸気路の上流端が上方から連通し、下方を向いて開口する吸気口が形成されていることを特徴とする便器装置。
【請求項２】
前記機能装置は前記吸気口を覆うフィルターを有しており、前記ベースプレートには、外縁部から挿入されたフィルターを吸気口を覆う位置に案内するガイド部が設けられていることを特徴とする請求項１記載の便器装置。
【請求項３】
前記ベースプレートは、外縁部に設けられ、前記フィルターが挿入される挿入口を有し、挿入口よりも前後方向にずれた内側に前記吸気口が設けられており、前記ガイド部は、前記フィルターを前記挿入口から挿入するに従い、フィルターの側面が当接し、挿入方向と交差する斜め方向にフィルターを案内する傾斜面を有していることを特徴とする請求項２記載の便器装置。
【請求項４】
前記ベースプレートは、前記吸気口の周縁部に沿って立ち上げられた壁部を有し、壁部と前記機能装置のケーシングとが連結されることにより、前記吸気路が形成されていることを特徴とする請求項１乃至３のいずれか１項記載の便器装置。
【請求項５】
側面部及び側面部に連続する上面部を有し、下端が開口したカバーを備え、カバーは前記ベースプレートに対して昇降可能であり、降下時に下端開口からカバー内に前記機能装置及びベースプレートを収納し、上昇時に前記フィルターの端部に設けられた把持部を露出させることを特徴とする請求項２乃至４のいずれか１項記載の便器装置。
【発明の詳細な説明】
【技術分野】
【０００１】
本発明は便器装置に関する。
【背景技術】
【０００２】
特許文献１には、従来の便器装置が開示されている。この便器装置は、便器本体に設けられた便鉢の上方に回動可能に取り付けられた便座及び便蓋と、便座及び便蓋の後方であり、便器本体の上面に取り付けられたタンクカバーとを有している。タンクカバー内には、ファンを有する機能装置が組み込まれている。機能装置はカートリッジ式の脱臭剤を有しており、トイレ室内の脱臭を行うことができる。また、ファンの上流側に形成された吸気路の上流端が連通する吸気口は、便座及び便蓋に近いタンクカバーの下部に設けられ、下方を向いて開口している。このため、機能装置は、便鉢内の臭気も吸気口から吸引し、脱臭することができる。
【先行技術文献】
【特許文献】
【０００３】
【特許文献１】特開２０００−４５３５７号公報
【発明の概要】
【発明が解決しようとする課題】
【０００４】
しかし、従来の便器装置では、機能装置の吸気口が便器本体の上面近傍で下方を向いて開口しているため、吸気口への空気の流入抵抗が大きく、空調装置の吸気流量が少なくなってしまう。このため、機能装置の能力を良好に発揮することができない虞がある。
【０００５】
本発明は、上記従来の実情に鑑みてなされたものであって、機能装置を良好に作動させることができる便器装置を提供することを解決すべき課題としている。
【課題を解決するための手段】
【０００６】
本発明の便器装置は、ケーシング内にファンを内蔵した機能装置が固定され、便器本体の上面に載置可能なベースプレートを備えた便器装置であって、
前記ベースプレートは前記便器本体の上面より後方に張り出した張出部を有し、
張出部には、前記ファンの上流側に形成された吸気路の上流端が上方から連通し、下方を向いて開口する吸気口が形成されていることを特徴とする。
【０００７】
この便器装置では、吸気口が張出部に形成されているため、吸気口の下方近傍に便器本体の上面が存在せず、吸気口の下方に広い空間を設けることができる。このため、吸気口は、空気の流入抵抗が少なく、下方に広がる広い空間から空気を吸引することができる。つまり、ファンの駆動に従い、機能装置は十分な空気を吸気口から吸引することができる。
【０００８】
したがって、本発明の便器装置は、機能装置を良好に作動させることができる。
【０００９】
前記機能装置は前記吸気口を覆うフィルターを有しており、前記ベースプレートには、外縁部から挿入されたフィルターを吸気口を覆う位置に案内するガイド部が設けられ得る。この場合、ガイド部がベースプレートに設けられているため、ベースプレートに設けられた吸気口に対して、フィルターを適正な位置に確実に案内し、配置することができる。また、吸気口は下方に向いて開口しているため、ファンの駆動時に空気が吸引されるとともにフィルターの下面に吸い付いたほこり等は、ファンの駆動が停止すると下方に落下する。このため、フィルターがほこり等により詰まり難く、機能装置は空気を良好に吸引することができるため、機能装置を良好に作動させることができる。
【００１０】
前記ベースプレートは、外縁部に設けられ、前記フィルターが挿入される挿入口を有し、挿入口よりも前後方向にずれた内側に前記吸気口が設けられており、前記ガイド部は、前記フィルターを前記挿入口から挿入するに従い、フィルターの側面が当接し、挿入方向と交差する斜め方向にフィルターを案内する傾斜面を有し得る。この場合、フィルターを吸気口に直接的に装着することができ、フィルターと吸気口との隙間をなくし、吸気路へのほこり等の侵入を少なくすることができる。また、排気路に対して、吸気口を前後方向にオーバーラップする位置に配置することができる。このため、機能装置のベースプレートに対する配置面積を小さくすることができる。
【００１１】
前記ベースプレートは、前記吸気口の周縁部に沿って立ち上げられた壁部を有し、壁部と前記機能装置のケーシングとが連結されることにより、前記吸気路が形成され得る。この場合、ケーシングのみ又は壁部のみで吸気路を形成するのに比べ、吸気路の断面積を大きくすることができる。つまり、ケーシングのみ又は壁部のみで吸気路を形成する場合、成形手段の制約により、抜き勾配を持たなければならず、吸気路の断面積を徐々に小さくしなければならない。これに対し、壁部とケーシングとにより吸気路を形成するため、抜き勾配の影響を受けずに、吸気路の断面積を大きく形成することができる。
【００１２】
側面部及び側面部に連続する上面部を有し、下端が開口したカバーを備え、カバーは前記ベースプレートに対して昇降可能であり、降下時に下端開口からカバー内に前記機能装置及びベースプレートを収納し、上昇時に前記フィルターの端部に設けられた把持部を露出させ得る。この場合、カバーを降下させた際（通常の使用時）、フィルター等をカバーにより隠蔽することができる。このため、便器装置は、側面部に凹凸のない、すっきりとした形状にすることができ、見栄えをよくすることができる。また、カバーを上昇させた際、フィルターの把持部が露出するので、フィルターを容易に取り外すことができる。
【図面の簡単な説明】
【００１３】
【図１】実施例の水洗式便器の側面図である。
【図２】実施例の水洗式便器の要部切欠き側面図である。
【図３】実施例の水洗式便器の要部斜視図である。
【図４】後側ベースプレートの断面図である。
【図５】機能部の斜視図である。
【図６】機能部の断面図である。
【図７】フィルター装着前の要部断面図である。
【図８】フィルター装着過程の要部断面図である。
【図９】フィルター装着過程の要部断面図である。
【図１０】フィルター装着完了時の要部断面図である。
【発明を実施するための形態】
【００１４】
本発明の便器装置が取り付けられた水洗式便器を具体化した実施例を図面を参照しつつ説明する。
【実施例】
【００１５】
実施例の水洗式便器は、図１及び図２に示すように、便器本体２と、便器本体２の上面２Ｔに載置された便器装置１とを有している。便器装置１は、後側ベースプレート４１、前側ベースプレート４２及びカバー１０を備えている。
【００１６】
後側ベースプレート４１には、便器洗浄装置、部屋暖房装置５０、スピーカー６１を有する音楽再生装置及び昇降装置７０等の機能装置が固定されている。後側ベースプレート４１の左右外縁部の下面には、化粧板３０が取り付けられている。化粧板３０は、便器本体２の左右側面の後方を被覆し、便器本体２の後部に配置される便器洗浄装置等を隠蔽している。また、化粧板３０の上部には、前後方向に延びる複数のスリット孔３１が前後及び上下に複数個ずつ整列して設けられている。スリット孔３１の内側には、部屋暖房装置５０の温風吹出し口５１及び音楽再生装置のスピーカー６１が配置されている。
【００１７】
後側ベースプレート４１は、図４に示すように、前部に設けられた係止部４６に頭部３Ａが係止され、下方に延びるボルト３を有している。ボルト３を便器本体２の上面から上下方向に貫設された取付孔に挿通し、ナット４が締め付けられている。これにより、後側ベースプレート４１は、便器本体２の上面２Ｔに固定されている。便器本体２の上面２Ｔに固定された後側ベースプレート４１は、便器本体２の上面２Ｔより後方に張り出した張出部４１Ｈを有している。
【００１８】
前側ベースプレート４２は、図２に示すように、後側ベースプレート４１に固定された昇降装置７０に取り付けられている。前側ベースプレート４２には、局部洗浄装置８０、局部乾燥装置、ＬＥＤを用いた照明装置等の機能装置及び各機能装置を制御する制御板９０が固定されている。前側ベースプレート４２及び前側ベースプレート４２に固定された各種機能装置は、後側ベースプレート４１に対し昇降可能である。つまり、前側ベースプレート４２及び前側ベースプレート４２に固定された各種機能装置は、便器本体２の上面２Ｔから所定距離上方までの間を昇降可能である。
【００１９】
カバー１０は、側面部１０Ａ及び側面部１０Ａに連続する上面部１０Ｂを有し、下端が開口している。前側の側面部１０Ａは、前方に向けて下り勾配の傾斜面に形成されており、便蓋２０及び便座２１の支持部１１が上方に突出して設けられている。便蓋２０及び便座２１は、支持部１１に回動自在に軸支されている。カバー１０は前側ベースプレート４２にビスＢにより固定されている。このため、カバー１０も、前側ベースプレート４２とともに、後側ベースプレート４１に対し昇降可能であり、便器本体２の上面２Ｔから所定距離上方までの間を昇降可能である。カバー１０は前側ベースプレート４２とともに昇降するので、スムーズに昇降することができる。
【００２０】
カバー１０を最も下降させた位置（便器装置の通常使用位置）に降下させた際、カバー１０の下端開口からカバー１０内に各ベースプレート４１、４２に固定された各種機能装置及び各ベースプレート４１、４２が収納される。このため、各種機能装置及び各ベースプレート４１、４２がカバー１０により隠蔽され、便器装置１の側面部が凹凸のない、すっきりとした形状にすることができ、見栄えをよくすることができる。
【００２１】
後側ベースプレート４１は、図２〜図４に示すように、左右外縁部の後部に上方に立ち上がる左右壁部４３Ｓと、左右壁部４３Ｓの後端部に連続し、後側ベースプレート４１の後外縁部の上方に立ち上がる後壁部４３Ｂとを有している。左右壁部４３Ｓの前端部には、後側ベースプレート４１の上面から立ち上がり、内側に延びる前壁部４３Ｆが設けられている。左右壁部４３Ｓ及び後壁部４３Ｂは、カバー１０の昇降時にカバー１０の側面部１０Ａの内面が摺動し、昇降を案内している。このため、カバー１０の昇降がスムーズに行われる。
【００２２】
便器本体２の前方から向かって右側に位置する右壁部４３Ｓの前部には、外側に向けて開口する部屋暖房装置５０のフィルターＦの第１挿入口４４が設けられている。第１挿入口４４は、右壁部４３Ｓと前壁部４３Ｆとの角部に設けられているため、前側に向けても開口している。フィルターＦは、定期的に取り外され、掃除されるものである。挿入口４４の奥側には、スリット状に開口した第２挿入口４５が後側ベースプレート４１の上面に設けられている。
【００２３】
後側ベースプレート４１は、右壁部４３Ｓに連続して形成された前壁部４３Ｆの後方に沿って左右横長形状に形成された吸気口４７を有している。吸気口４７は、張出部４１Ｈに形成されている。吸気口４７の下方に便器本体２の上面２Ｔが存在せず、吸気口４７の下方に広がる広い空間に向けて吸気口４７は開口している。このため、吸気口４７は、空気の流入抵抗が少なく、下方に広がる広い空間から空気を吸引することができる。つまり、後述するファン５３の駆動に従い、部屋暖房装置５０は十分な空気を吸気口４７から吸引することができる。
【００２４】
したがって、実施例の水洗式便器は、部屋暖房装置５０を良好に作動させることができる。
【００２５】
部屋暖房装置５０は、図３〜図６に示すように、ケーシング５２内にファン５３を内蔵している。ファン５３は円盤状のシロッコファンであり、回転軸に直交する側面５３Ａから空気を吸引し、遠心力により円周面から外側へ向けて空気を排出する。
【００２６】
部屋暖房装置５０のケーシング５２は、第１部材５４、第２部材５５及び第３部材５６から形成されている。第１部材５４及び第２部材５５は略対象形状に形成されている。第１部材５４の側面部５４Ｓ及び第２部材５５の側面部５５Ｓの端部同士が接合されている。第１部材５４及び第２部材５５は、上部にファン５３を収納する略円筒空間を形成している。第１部材５４及び第２部材５５は、上部に形成した略円筒空間の下部に連通し、斜め下方に延びる排気路５７を形成している。排気路５７を形成する第１部材５４及び第２部材５５の下部は、後側ベースプレート４１に設けられた上下に貫通する開口を挿通し、後側ベースプレート４１の下方まで延びている。排気路５７の下流端部には、温風吹出し口５１が形成されている。温風吹出し口５１は、後側ベースプレート４１の右外縁部の下面に取り付けられた化粧板３０のスリット孔３１に対向する位置に配置されている。温風吹出し口５１には、温風の吹き出し方向を斜め下方に案内するルーバー５１Ｌが設けられている。ファン５３を収納する略円筒空間、排気路５７、温風吹出し口５１及びルーバー５１Ｌの後部側を第１部材５４が形成し、前部側を第２部材５５が形成している。第１部材５４及び第２部材５５には、排気路５７の下流側の上部に発熱部５８が設けられている。発熱部５８は、排気路５７に面して配置される発熱体５８Ｆを有している。
【００２７】
第２部材５５は、ファン５３を収納した際、ファン５３の回転軸に直交する側面５３Ａが面する部分に開口５５Ａが設けられている。第３部材５６は、側面部５６Ｓの一部が開口５５Ａの縁部の上部に沿って取り付けられている。第３部材５６の側面部５６Ｓに連続する前面部５６Ｆは、第２部材５５と間隔を有した位置に配置されている。第３部材５６の下端により、下方に開口する流入口５９が形成されている。
【００２８】
ファン５３が収納されたケーシング５２の下部は、後側ベースプレート４１に設けられた前壁部４３Ｆ、後壁部４３Ｂ及び右壁部４３Ｓの間に嵌め込まれる。この状態で前壁部４３Ｆの上端にケーシング５２の第３部材５６の下端が連結される。これにより、前壁部４３Ｆ、ケーシング５２の第３部材５６及び第２部材５５により吸気路４８が形成されている。このように吸気路４８が形成されるため、吸気路４８の断面積を大きくすることができる。吸気路４８の下端（上流端）は、後側ベースプレート４１の張出部４１Ｈに形成された吸気口４７に上方から連通している。
【００２９】
フィルターＦは、複数に分割された網部１０１を有する平板状の枠部１００と、枠部１００の一端部に設けられ、上方に立ち上がる把持部１０２とを有している。フィルターＦには、把持部１０２の上端から延び、枠部１００の上面に連結される傾斜片１０２Ａが設けられている。把持部１０２と傾斜片１０２Ａとの間は前側に開口する凹部１０２Ｓが形成されている。枠部１００の把持部１０２側の前側の側面（フィルターＦを吸気口４７を覆うように装着した際、前側に位置する側面）には、案内片１０４が張り出して形成されている。また、把持部１０２側の枠部１００の上面には、コ字状に設けられた切欠き溝により形成された弾性片１０３が設けられている。弾性片１０３の先端上面には、凸部１０３Ａが設けられている。後側ベースプレート４１に形成された第２挿入口４５内の上面には、フィルターＦを適正位置に挿入した際に凸部１０３Ａが係合する凹部４５Ｂが設けられている。
【００３０】
フィルターＦの枠部１００は、図７〜図１０に示すように、前側の側面の先端部において、先端方向に向かって後方に傾斜する第１傾斜側面１００Ａを有している。また、フィルターＦの枠部１００は、後側の側面の中間部において、先端方向に向かって後方に傾斜する第２傾斜側面１００Ｂを有している。案内片１０４の挿入先端側の側面は、挿入方向に向かって枠部１００の前側側面に近づく第３傾斜面１０４Ａが形成されている。
【００３１】
後側ベースプレート４１は、第２挿入口４５の前側の側壁を形成し、吸気口４７の三方を囲むように上面に突出して形成されたリブ４９を有している。リブ４９は、吸気口４７より前方に位置する前側リブ４９Ａと、前側リブ４９Ａの奥側端部に連続し、吸気口４７より奥側に位置する奥側リブ４９Ｂと、奥側リブ４９Ｂの後側端部に連続し、吸気口４７より後方に位置する後側リブ４９Ｃとから構成されている。吸気口４７は、第１挿入口４４及び第２挿入口４５よりも後方にずれた内側に設けられている。前側リブ４９Ａには、奥方向に向かって後方に傾斜して設けられた第１傾斜面４９Ｐ及び第２傾斜面４９Ｑが形成されている。後側リブ４９Ｃには、奥方向に向かって後方に傾斜して設けられた第３傾斜面４９Ｒが形成されている。
【００３２】
前側リブ４９Ａは、第１挿入口４４及び第２挿入口４５から挿入されたフィルターＦを吸気口４７を覆う位置に案内するガイド部である。つまり、図８に示すように、フィルターＦを第１挿入口４４及び第２挿入口４５から挿入すると、先ずフィルターＦの第１傾斜側面１００Ａが前側リブ４９Ａの第１傾斜面４９Ｐに衝突する。これにより、フィルターＦは挿入方向と交差する斜め後方にスライドする。さらにフィルターＦを挿入方向に移動させると、図９に示すように、フィルターＦの側面角部１００Ｃが第２傾斜面４９Ｑに衝突する。これにより、フィルターＦは、さらに挿入方向と交差する斜め後方にスライドする。さらにフィルターＦを挿入方向に移動させると、案内片１０４の第３傾斜側面１０４Ａが第２挿入口４５を形成する前側リブ４９Ａに衝突する。これにより、フィルターＦは挿入方向と交差する斜め後方にさらにスライドする。その後、図１０に示すように、フィルターＦは吸気口４７を覆う適正な位置に挿入される。この状態で、弾性片１０３に設けられた凸部１０３Ａが凹部４５Ｂに係合される。
【００３３】
このように、後側ベースプレート４１に設けられた前側リブ４９Ａにより、後側ベースプレート４１に設けられた吸気口４７に対して、フィルターＦが適正な位置に確実に案内され、配置される。また、フィルターＦを吸気口４７に直接的に装着することができるため、フィルターＦと吸気口４７との隙間をなくし、吸気路４８へのほこり等の侵入を少なくすることができる。さらに、排気路５７と吸気口４７が前後方向にオーバーラップする位置に配置することができる。このため、部屋暖房装置５０の後側ベースプレート４１に対する配置面積を小さくすることができる。
【００３４】
フィルターＦが適正な位置に挿入されると、フィルターＦの把持部１０２は、右壁部４３Ｓの外側面と略面一となる。このため、カバー１０を右壁部４３Ｓに沿って、スムーズに昇降させることができ、把持部１０２をカバー１０の側面部１０Ａに隠蔽することができる。このため、便器装置１は、側面部に凹凸のない、すっきりとした形状にすることができ、見栄えをよくすることができる。また、カバー１０を上昇させた際、フィルターＦの把持部１０２が露出するので、凹部１０２Ｓに指先を挿入するようにして、把持部１０２を摘まむことができる。このため、フィルターＦを容易に取り外すことができる。
【００３５】
フィルターＦを取り外す際には、後側リブ４９ＣがフィルターＦを案内するガイド部になる。つまり、図９に示すように、フィルターＦを引き抜くと、フィルターＦの第２傾斜側面１００Ｂが後側リブ４９Ｃの第３傾斜面４９Ｒが衝突する。これにより、フィルターＦが引き抜き方向と交差する斜め前方にスライドする。さらにフィルターＦを引き抜くと、フィルターＦの第２傾斜側面１００Ｂが第２挿入口４５を形成する後側の側壁に衝突する。これにより、フィルターＦが引き抜き方向と交差する斜め前方にスライドし、第２挿入口４５及び第１挿入口４４からフィルターＦを引き抜くことができる。
【００３６】
本発明は、上記記述及ぶ図面によって説明した実施例に限定されるものではなく、例えば次のような実施例も本発明の技術的範囲に含まれる。
（１）実施例では、便器装置に組み込まれた部屋暖房装置に適用したが、便器装置に組み込まれ、ファンを有する温風乾燥機、部屋冷房装置及び空気清浄機に適用してもよい。
（２）実施例では、後側ベースプレート及び前側ベースプレートを備えていたが、便器本体の上面より後方に張り出した一つのベースプレートであってもよい。この場合、カバーをベースプレートに固定せず、カバーのみを昇降させてもよい。
（３）実施例では、吸気路をベースプレートの壁部と部屋暖房装置のケーシングとで形成したが、ベースプレートの壁部又は部屋暖房装置のケーシングのどちらか一方で形成してもよい。
（４）便器装置は既存の便器洗浄装置を有する水洗式便器に取り付けられるものであってもよい。この場合、便器洗浄装置をベースプレートに固定しなくてもよい。
【産業上の利用可能性】
【００３７】
本発明は水洗式便器及び便器本体に取り付けられる局部洗浄装置に利用可能である。
【符号の説明】
【００３８】
２…便器本体
２Ｔ…（便器本体の）上面
１０…カバー
１０Ａ…側面部
１０Ｂ…上面部
４１、４２…ベースプレート（４１…後側ベースプレート、４２…前側ベースプレート）
４１Ｈ…張出部
４３Ｆ…前壁部
４７…吸気口
４８…吸気路
４９Ａ…前側リブ（ガイド部）
４９Ｐ、４９Ｑ…傾斜面（４９Ｐ…第１傾斜面、４９Ｑ…第２傾斜面）
５０…部屋暖房装置（機能装置）
５２…ケーシング
５３…ファン
１０２…把持部
Ｆ…フィルター
【図１】
2010203070.tif 000003
【図２】
2010203070.tif 000004
【図３】
2010203070.tif 000005
【図４】
2010203070.tif 000006
【図５】
2010203070.tif 000007
【図６】
2010203070.tif 000008
【図７】
2010203070.tif 000009
【図８】
2010203070.tif 000010
【図９】
2010203070.tif 000011
【図１０】
2010203070.tif 000012